(57)【要約】【課題】マイナスイオン発生器を設置しないタイプの照明器具に比べて外形寸法が大型化せず、従来の通常の照明器具の形状とほとんど同一で通常の照明器具用の部品との共用化を図ることができるマイナスイオン発生器付き蛍光器具を提供すること。【解決手段】Ｕ字状に折り曲げてその両側を直線状に形成した三本の蛍光管１０と、蛍光管１０の設置面５７を有し設置面５７の中心軸に対して三本の蛍光管１０の直線部１３が平行であって且つ中心軸対称となるように設置面５７に各蛍光管１０の両端を設置する蛍光管取付体５０と、設置面５７の中心軸位置に設置されるマイナスイオン発生器３０と、蛍光管取付体５０の内部に収納され、蛍光管１０及びマイナスイオン発生器３０を駆動する駆動部と、蛍光管取付体５０に取り付けられる電球ソケット取り付け用の口金９０と、を具備するマイナスイオン発生器付き蛍光器具１である。【選択図】図１
2006092939.tif 000002
【特許請求の範囲】
【請求項１】
Ｕ字状に折り曲げてその両側を直線状に形成してなる複数本の蛍光管と、
前記蛍光管の設置面を有し、この設置面の中心軸に対して前記複数本の蛍光管の直線状の直線部が平行であって且つこの中心軸対称となるようにこの設置面に前記各蛍光管の両端を設置する蛍光管取付体と、
前記蛍光管取付体の設置面の中心軸位置に設置されるマイナスイオン発生器と、
前記蛍光管取付体の内部に収納され、前記蛍光管及びマイナスイオン発生器を駆動する駆動部と、
前記蛍光管取付体の設置面とは反対側の位置に取り付けられる電球ソケット取り付け用の口金と、
を具備することを特徴とするマイナスイオン発生器付き蛍光器具。
【請求項２】
前記マイナスイオン発生器は直線棒状であって、複数本の蛍光管の中央位置に各蛍光管の直線部と平行に立設され、更にその先端の高さ位置を蛍光管の先端となる折曲部の上端の高さ位置よりも低い位置に設置して構成されていることを特徴とする請求項１に記載のマイナスイオン発生器付き蛍光器具。
【発明の詳細な説明】
【技術分野】
【０００１】
本発明はマイナスイオン発生器付き蛍光器具に関するものである。
【背景技術】
【０００２】
従来、空気中にマイナスイオンを放出すると、空気中に浮遊しているプラスに帯電した汚染物質に電子が与えられてこれをマイナス電荷に変え、このマイナス電荷の汚染物質と、プラス電荷のまま浮遊している汚染物質とが引き合って結合し、このプロセスが繰り返されることで汚染物質は最初の何千倍もの重量に膨れ上がり、膨れ上がった汚染物質は空気中に浮遊できなくなって床に落下するので、空気中の汚染物質の除去が図れることが知られている。そこで従来、各種装置（例えば空気清浄器やエアコン、その他の家電製品）に、イオン発生器を取り付け、プラスイオンに偏っている室内にマイナスイオンを放出し、これによってイオンバランスを適当な状態に維持して人体の健康を向上することが行われている。
【０００３】
ところで空気清浄器の場合は通常、室内の下方に設置されるため、天井付近を含む室内全体の空気にマイナスイオンを供給することが困難であった。またエアコンの場合は通常、夏や冬のシーズンのみに使用するものであるため、その他のシーズンでは使用しない期間が長く、必ずしも効果的なマイナスイオンの供給が行われていなかった。
【０００４】
そこでこのような問題を解決してマイナスイオンの十分な供給を確保するため、照明器具にマイナスイオン発生器を取り付けることが考えられる。照明器具にマイナスイオン発生器を設置すれば、照明器具が点灯している間は常時マイナスイオンが供給されるので、季節に関係なく十分なマイナスイオンが室内に供給され、好適である。
【０００５】
しかしながらマイナスイオン発生器付きの照明器具の場合、照明用の器具の他にマイナスイオン発生器を設置しなければならないので、マイナスイオン発生器を設置しないタイプの照明器具に比べてその外形寸法が大型化してしまうばかりか、従来の通常の照明器具の形状とはその形状が大きく異なる特殊な形状となってしまうため、通常の照明器具用の部品との共用化が図れず、製造コストが増大するという問題があった。
【発明の開示】
【発明が解決しようとする課題】
【０００６】
本発明は上述の点に鑑みてなされたものでありその目的は、マイナスイオン発生器を設置しないタイプの照明器具に比べてその外形寸法が大型化せず、また従来の通常の照明器具の形状とほとんど同一で通常の照明器具用の部品との共用化を図ることができるマイナスイオン発生器付き蛍光器具を提供することにある。
【課題を解決するための手段】
【０００７】
本願の請求項１に記載の発明は、Ｕ字状に折り曲げてその両側を直線状に形成してなる複数本の蛍光管と、前記蛍光管の設置面を有し、この設置面の中心軸に対して前記複数本の蛍光管の直線状の直線部が平行であって且つこの中心軸対称となるようにこの設置面に前記各蛍光管の両端を設置する蛍光管取付体と、前記蛍光管取付体の設置面の中心軸位置に設置されるマイナスイオン発生器と、前記蛍光管取付体の内部に収納され、前記蛍光管及びマイナスイオン発生器を駆動する駆動部と、前記蛍光管取付体の設置面とは反対側の位置に取り付けられる電球ソケット取り付け用の口金と、を具備することを特徴とするマイナスイオン発生器付き蛍光器具にある。
【０００８】
本願請求項２に記載の発明は、前記マイナスイオン発生器は直線棒状であって、複数本の蛍光管の中央位置に各蛍光管の直線部と平行に立設され、更にその先端の高さ位置を蛍光管の先端となる折曲部の上端の高さ位置よりも低い位置に設置して構成されていることを特徴とする請求項１に記載のマイナスイオン発生器付き蛍光器具にある。
【発明の効果】
【０００９】
本願請求項１に記載の発明によれば、照明器具にマイナスイオン発生器を設置したので、照明器具を点灯している間、つまり季節を問わず、人がその部屋にいる間（就寝時は除く）は常にマイナスイオン発生器からマイナスイオンが室内に放射され、しかも通常は照明器具は天井またはその近傍に設置されるので天井付近から放射されたマイナスイオンによって室内全体の空気にマイナスイオンを供給でき、これらのことから効果的にマイナスイオンを人がいる室内に十分供給することができる。またこのマイナスイオン発生器付き蛍光器具は、従来からある電球型の蛍光灯と同一構造であり、これに追加するマイナスイオン発生器は複数本の蛍光管の中央位置（従来からある空きスペース）に設置するので、たとえマイナスイオン発生器を設置しても、マイナスイオン発生器を設置しないタイプの照明器具に比べてその外形寸法が大型化することはない。また従来からある電球型の蛍光灯の形状とほとんどその形状が変化せず、従って通常の電球型の蛍光灯の部品との共用化が図れ、製造コストの低減化が図れる。
【００１０】
本願請求項２に記載の発明によれば、直線棒状のマイナスイオン発生器の一端を設置面の中心位置、即ち複数本の蛍光管の中央位置に各蛍光管の直線部と平行に立設し、更にその先端の高さ位置を蛍光管の先端となる折曲部の上端の高さ位置よりも低い位置に設置したので、マイナスイオン発生器全体が複数本の蛍光管の内側に入り込んで位置し、このマイナスイオン発生器に人の手やその他の部材が触れることを、別途特別な構造を設けることなく、確実に防止できる。
【発明を実施するための最良の形態】
【００１１】
以下、本発明の実施の形態を図面を参照して詳細に説明する。
図１，図２は本発明の一実施の形態にかかるマイナスイオン発生器付き蛍光器具１を示す図であり、図１（ａ）は斜視図、図１（ｂ）は平面図、図２は側断面図である。これらの図に示すようにマイナスイオン発生器付き蛍光器具１は、複数本（この実施形態では三本）のＵ字状の蛍光管１０と、一本のマイナスイオン発生器３０と、これら蛍光管１０及びマイナスイオン発生器３０を取り付けるとともにその内部に駆動部７０を収納する蛍光管取付体５０と、前記蛍光管取付体５０の蛍光管１０等を取り付けた側とは反対側の位置に取り付けられる口金９０と、を具備して構成されている。以下各構成部分について説明する。
【００１２】
蛍光管１０は何れも、Ｕ字状に折り曲げた折曲部１１と、その両側を直線状に形成した直線部１３，１３とを有して構成されている。
【００１３】
マイナスイオン発生器３０は、筒状に形成された合成樹脂製の電極ケース３１内の中央に、一本の金属製で棒状の電極３３を設置して構成されている。電極ケース３１の一端（先端）にはこれを覆う覆い板３１１が一体に設けられ、覆い板３１１の中央一ヶ所とその周囲６ヶ所には円形の貫通孔からなるマイナスイオン放射口３１３が設けられている。また電極ケース３１の他端（末端）は開放されており、下記する蛍光管取付体５０の設置面５７の反対面側（裏面側）に設置した取付体６３に固定されている。一方電極３３はその先端３３１が鋭角に形成されており、他端は前記取付体６３の中央に固定されている。なおこのマイナスイオン発生器３０の先端は、少なくとも各蛍光管１０の先端となる折曲部１１の上端よりもその高さを低くし、これによってマイナスイオン発生器３０に他の部材が触れないように構成している。
【００１４】
蛍光管取付体５０は、上ケース５１と中央ケース５３と下ケース５５とを具備し、その内部に各種電気部品からなる駆動部７０を収納して構成されている。上ケース５１は、上端面が略平板状の設置面５７によって覆われ、下端面が開放された筒状の合成樹脂成形品によって構成され、設置面５７の中央には前記マイナスイオン発生器３０の電極ケース３１の末端の外周を挿入する寸法形状の貫通する挿入部５９が設けられ、また設置面５７の前記挿入部５９の周囲六ヵ所には前記各蛍光管１０の両端を挿入する挿入口６１が設けられている。設置面５７の下面側（上ケース５１の内部側）には板状で合成樹脂製の取付体６３が取り付けられている。この取付体６３の中央には前記設置面５７の挿入部５９を貫通した前記電極３３の端部と電極ケース３１の端部とが固定され、またこの取付体６３の周囲には前記設置面５７の挿入口６１を貫通した前記各蛍光管１０の両端部が固定されている。
【００１５】
次に中央ケース５３は筒状の合成樹脂成形品によって構成され、その内部には平板状の板部５３１を設け、またその外周側面には外部と内部とを貫通する円周方向に向かって細長形状の複数本の放熱用開口部５３３を設けている。板部５３１中には複数の貫通する小孔からなるリード部７７挿通用の開口部（放熱用の空気を通す開口部の役目もする）５３５が設けられている。下ケース５５は略半球状の合成樹脂成形品によって構成され、その下端、即ち蛍光管取付体５０の蛍光管１０等を取り付ける側とは反対側の位置には口金９０を取り付けている。この口金９０は、通常の市販されている白熱電球用の口金と同一形状であり、その先端の中央に設けられる電極部９０１と、その外周のねじ部となっている電極部９０３とによって構成されている。下ケース５５の口金９０を取り付けている近傍部分には、下ケース５５の内部と外部とを貫通する円周方向に延びる複数本の放熱用開口部５５５が設けられている。
【００１６】
駆動部７０は、回路基板７１の一方の面に各種電子部品７３を実装して構成されており、回路基板７１の一方の面側から引き出されるリード部７５を前記口金９０の両電極部９０１，９０３に接続し、また回路基板７１の他方の面側から引き出されるリード部７７を開口部５３５を介して前記取付体６３に取り付けた電極３３の端部や蛍光管１０の端部に接続している。
【００１７】
以上のように構成されたマイナスイオン発生器付き蛍光器具１において、口金９０の部分を図示しない白熱電球用のソケットにねじ込み、電源を投入すれば、前記駆動部７０によって前記蛍光管１０に電源が供給されて発光する。同時に駆動部７０によって電極３３にパルス性の高電圧が印加され、空気中に直接電子が放出される。空気中に放出された電子は周囲の酸素あるいは水分と結合してマイナスイオンを発生させ、マイナスイオン放射口３１３から外部に放出されていく。
【００１８】
以上のようにこのマイナスイオン発生器付き蛍光器具１によれば、照明器具にマイナスイオン発生器３０を設置したので、照明器具を点灯している間、つまり季節を問わず、人がその部屋にいる間（就寝時は除く）は常にマイナスイオン発生器３０からマイナスイオンが室内に放射され、しかも通常は照明器具は天井またはその近傍に設置されるので天井付近から放射されたマイナスイオンによって室内全体の空気にマイナスイオンを供給でき、これらのことから効果的にマイナスイオンを人がいる室内全体に十分供給することができる。
【００１９】
またこのマイナスイオン発生器付き蛍光器具１は、従来からある電球型の蛍光灯、即ちＵ字状に折り曲げてなる複数本の蛍光管の両側を蛍光管取付体に取り付けるとともに白熱電球用の口金を有する蛍光灯、と同一構造であり、これに追加するマイナスイオン発生器３０はこれら複数本の蛍光管１０の中央位置（従来からある空きスペース）に設置するので、たとえマイナスイオン発生器を設置しても、マイナスイオン発生器を設置しないタイプの蛍光灯に比べてその外形寸法が大型化することはない。また上記従来の通常の蛍光灯の形状とほとんどその形状が変化せず、従って通常の蛍光灯用の部品との共用化が図れ、製造コストの低減化が図れる。
【００２０】
またこのマイナスイオン発生器付き蛍光器具１の場合、マイナスイオン発生器３０を複数本の蛍光管１０の中央位置に設置し、且つマイナスイオン発生器３０の先端（上端）の高さ位置を、各蛍光管１０の先端となる折曲部１１の上端の高さ位置よりも低くしているので、マイナスイオン発生器３０全体が複数本の蛍光管１０の内側に入り込んで位置し、このマイナスイオン発生器３０にその上部や側部から人の手やその他の部材が触れることを、特別な構造とすることなく、確実に防止できる。
【００２１】
またこのマイナスイオン発生器付き蛍光器具１の場合、蛍光管取付体５０の外周を囲むケース（中央ケース５３と下ケース５５）の、駆動部７０を内蔵した位置の蛍光管１０側と口金９０側の両方の位置にそれぞれ放熱用開口部５３５，５５５を設けたので、駆動部７０で発生した熱がその上下両側から効率良く放熱され、効果的な冷却効果を生じる。
【００２２】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では、マイナスイオン発生器３０を、電極ケース３１内に電極３３を収納して構成したが、場合によっては電極ケース３１を省略して電極３３のみでマイナスイオン発生器３０を構成しても良い。要は直線棒状（電極３３を電極ケース３１で囲んで構成しても直線棒状であるし、電極３３のみで構成しても直線棒状である）であれば、どのような構造のマイナスイオン発生器３０であっても良い。さらにマイナスイオン発生器３０は場合によっては直線棒状でなくても良く、さらにこの実施形態のような電子放射式ではなく、コロナ放電式、放射線式等のマイナスイオン発生器を用いても良い。
【図面の簡単な説明】
【００２３】
【図１】本発明の一実施の形態にかかるマイナスイオン発生器付き蛍光器具１を示す図であり、図１（ａ）は斜視図、図１（ｂ）は平面図である。
【図２】マイナスイオン発生器付き蛍光器具１の側断面図である。
【符号の説明】
【００２４】
１  マイナスイオン発生器付き蛍光器具
１０  蛍光管
１１  折曲部
１３  直線部
３０  マイナスイオン発生器
３１  電極ケース
３３  電極
５０  蛍光管取付体
５７  設置面
７０  駆動部
９０  口金
【図１】
2006092939.tif 000003
【図２】
2006092939.tif 000004